(57)【要約】 【課題】トランクドシステム交信による送信を行い送信が失敗したときに、トークアランド動作を自動的に行えるようにした無線通信機を提供する。【解決手段】互いに同一周波数での交信とレピータを介して所定の周波数シフトさせた周波数を用いての交信とを選択することがきる無線通信機において、外部コネクタ７からトークアランド交信指示信号により指示されたトークアランド機能による交信指示をマイクロコンピュータ６に予め記憶し、トランクドシステム交信による送信のときに予め定めた１回以上の連続した回数の送信失敗を検出したとき、前記記憶しているトークアランド機能による交信指示を参照し、この参照の結果トークアランド機能による交信指示がなされているとき、受信周波数を交信相手の送信周波数に設定して送信処理を行い相手との交信ができたとき、レピータによる交信が不調であることを交信相手に通知する。【選択図】        図１
2007060071.tif 000002
【特許請求の範囲】
【請求項１】
２以上の無線通信機で交信を行う場合に、互いに同一周波数での交信とレピータを介して所定の周波数シフトさせた周波数を用いての交信とを選択することがきる無線通信機において、トークアランド交信指示信号により指示されたトークアランド機能による交信指示を予め記憶し、トランクドシステム交信による送信のときに予め定めた１回以上の連続した回数の送信失敗を検出したとき、前記記憶しているトークアランド機能による交信指示を参照し、この参照の結果トークアランド機能による交信指示がなされているとき、受信周波数を交信相手の送信周波数に設定して送信処理を行い相手との交信ができたとき、レピータによる交信が不調であることを交信相手に通知することを特徴とする無線通信機。
【発明の詳細な説明】
【技術分野】
【０００１】
本発明は無線通信機に関し、２以上の無線通信機で交信を行う場合に、互いに同一周波数での交信とレピータを介して所定の周波数シフトさせた周波数を用いての交信とを、選択することがきる無線通信機に関する。
【背景技術】
【０００２】
従来、少なくとも２個の無線通信機同志間で交信を行う場合、無線通信機同志のそれぞれの送受信周波数を同一にして、近距離用の無線通信機であればその出力レベルを低く設定し、遠距離用の無線通信機ではその出力レベルを高く設定して交信する必要があった。一方、中継器、すなわちレピータを介して交信する場合もあり、この場合はレピータの出力の及ぶ領域内では送信周波数と受信周波数との間に所定の周波数だけシフトさせて、シフトさせた周波数を用いて互いに交信を行うものもある。レピータを介して交信を行う通信方法においては、レピータが使用されているので、使用される無線通信機の出力レベルはそれほど大きくなくてもよい。しかし、レピータ出力の及ぶ範囲外では実質的に使用できず、用途が限定される。
【０００３】
そこで、無線通信機の送信周波数は受信周波数から所定周波数だけシフトした周波数を用いる通信方式と、無線通信機の送受信周波数が互いに同一である通信方式との何れかに変換、切り換えができるという所謂トークアラウンド（ＴＡ）交信機能を選択した場合に、少なくとも２個の無線通信機同志間で交信を行う方法において、無線通信機のそれぞれが互いに等しい周波数で交信しあえる第１の送受信機構と、レピータを介して送受信周波数を互いに所定の周波数だけシフトさせた周波数を用いて交信しあえる第２の送受信機構と、第１と第２の送受信機構の切り換えを制御する制御手段とを備え、レピータからの出力の程度を検出して、検出された出力に応じて制御手段を制御するように構成した通信方法の選択システムが知られている（例えば、特許文献１参照）。
【特許文献１】特開平５−３７４１８号公報
【０００４】
一方、無線通信機Ａと無線通信機Ｂがレピータａを使用して交信しているとき、無線通信機Ｃと無線通信機Ｄとはレピータａを使用して交信できず、レピータａが空くのを待たなければならなかったのに対し、レピータａに代わって空いているレピータｂを自動的に選択してレピータｂを介して無線通信機Ｃと無線通信機Ｄとが交信できるようにしてレピータの使用効率を上げるトランクドシステムが知られている。
【０００５】
トランクドシステム交信による送信の場合について、図４を用いて説明する。相手からの交信待ち受け状態にて無線通信機のＰＴＴ（Push  To  Talk）スイッチをオン状態することによって送信指示が行われて（ステップＳ１）、無線通信機がレピータを介して送信処理を行う（ステップＳ２）。ステップＳ２に続いて無線通信機が送信を行い、送信失敗か否かを判別する（ステップＳ３）。ここで、送信失敗か否かの判定は送信時から所定期間内にレピータから信号が帰ってきたか否かによって判別され、信号が帰ってこないときは送信失敗と判別する。
【０００６】
ステップＳ３において送信失敗と判別されると、ステップＳ３に続いて、連続して予め定めた所定回数例えば６回送信が失敗したか否かを判別する（ステップＳ４）。ステップＳ４において６回連続して送信が失敗であったと判別されると、待ち受け状態に遷移する（ステップＳ５）。ステップＳ３で送信が失敗していない場合、またはステップＳ４において送信が連続して６回失敗していない場合、交信中に遷移する（ステップＳ６）。
【０００７】
上記のトランクドシステム交信において送信を行い、送信が失敗していれば別途設けたＴＡ交信スイッチを押圧して交信相手に送信失敗の旨を通知し、次いでトークアランド交信動作を行っていた。
【発明の開示】
【発明が解決しようとする課題】
【０００８】
このように、従来では、無線通信機にＴＡ交信スイッチを独立して設け、トランクドシステム交信によって送信を行い、送信が失敗してトークアランド動作を行わせる場合、必ずＴＡ交信スイッチを押して送受信周波数を同一周波数に設定し、かつ交信相手側にも通知しなければならなかった。このため、送信側はトランクドシステム交信において送信が失敗したことを知っている必要があった。
【０００９】
本発明は、トランクドシステム交信による送信を行い送信が失敗したときに、ＴＡ交信スイッチの押圧動作を不要にして、トークアランド動作を自動的に行えるようにした無線通信機を提供することを目的とする。
【課題を解決するための手段】
【００１０】
本発明の請求項１にかかる無線通信機は、２以上の無線通信機で交信を行う場合に、互いに同一周波数での交信とレピータを介して所定の周波数シフトさせた周波数を用いての交信とを選択することがきる無線通信機において、トークアランド交信指示信号により指示されたトークアランド機能による交信指示を予め記憶し、トランクドシステム交信による送信のときに予め定めた１回以上の連続した回数の送信失敗を検出したとき、前記記憶しているトークアランド機能による交信指示を参照し、この参照の結果トークアランド機能による交信指示がなされているとき、受信周波数を交信相手の送信周波数に設定して送信処理を行い相手との交信ができたとき、レピータによる交信が不調であることを交信相手に通知することを特徴とする。
【発明の効果】
【００１１】
本発明の請求項１にかかる無線通信機によれば、２以上の無線通信機で交信を行う場合に、互いに同一周波数での交信とレピータを介して所定の周波数シフトさせた周波数を用いての交信とを選択することがきる無線通信機において、トークアランド交信指示信号により指示されたトークアランド機能による交信指示が予め記憶され、トランクドシステム交信による送信のときに予め定めた１回以上の連続した回数の送信失敗が検出されたとき、前記記憶しているトークアランド機能による交信指示が参照されて、この参照の結果トークアランド機能による交信指示がなされているとき、受信周波数が交信相手の送信周波数に設定されて送信処理が行われ、この送信処理により相手との交信ができたとき、レピータによる交信が不調であることが交信相手に通知される。
【００１２】
したがって、本発明の請求項１にかかる無線通信機によれば、トランクドシステム交信による送信のときに予め定めた１回以上の連続した回数の送信失敗が検出されたとき、トークアランド機能による交信指示が記憶されておれば、一々ＴＡ動作指示をスイッチなどによって行う必要はなくなり、ＴＡ交信スイッチの操作を必要とせず、手数が減少する。またレピータに送信してレピータにリンクできない場合、トランクアウトするがＴＡ交信動作の指示が記憶されておれば、無線通信機の受信周波数が交信相手の送信周波数と一致させられて、交信相手と通話することができ、さらにレピータによる交信でないことが交信相手に知らされる。
【発明を実施するための最良の形態】
【００１３】
以下、本発明にかかる無線通信機を実施の形態によって説明する。
【００１４】
図１は本発明の実施の一形態にかかる無線通信機の構成を示すブロック図である。
【００１５】
本発明の実施の一形態にかかる無線通信機４０は、図１に示すように、送信部２０と受信部３０とを備えている。
【００１６】
送信部２０は、マイクロフォン１からの音声信号をマイク増幅器２にて増幅し、マイク増幅器２からの出力信号を変調信号とし、ＰＬＬ周波数シンセサイザ５から供給される搬送波を変調信号にてＦＭ変調器３でＦＭ変調し、ＦＭ変調出力はＰＬＬ周波数シンセサイザ５から供給される局部発振周波数の信号とミキサ４にて周波数混合して伝送周波数信号、すなわち送信周波数の信号に周波数変換し、ミキサ４にて周波数変換された送信周波数の出力信号は送信信号増幅器８に供給して増幅のうえ、送信電力増幅器９に供給して電力増幅し、アンテナスイッチ１０を介してアンテナ１１から送信する。ここで、ＦＭ変調される搬送数を伝送周波数として送信周波数としてもよく、この場合はミキサ４を省略することが可能である。
【００１７】
受信部３０は、アンテナ１１にて受信した受信信号はアンテナスイッチ１０を介してＲＦ増幅器１３に供給して増幅し、ＲＦ増幅器１３の出力は、ＰＬＬ周波数シンセサイザ５から出力される局部発振周波数とミキサ１４にて周波数混合して中間周波数に変換のうえバンドパスフィルタ１５に供給して帯域制限し、バンドパスフィルタ１５からの出力はＦＭ復調回路およびトーンスケルチ回路を含む中間周波回路１６に供給して復調し、トーン信号が受信部３０のトーン信号と一致したときスケルチ回路を開いて、復調トーン信号はＡＦ増幅器１７にて増幅してスピーカ１８を駆動する。
【００１８】
無線通信機４０にはさらに、外部コネクタ７とマイクロコンピュータ６を備えている。外部コネクタ７を介して供給されるトランクドシステムによる交信を指示するトランクドシステム交信指示信号、ＴＡ交信機能による交信を指示するＴＡ交信指示信号および送信周波数を指示する周波数指示信号をマイクロコンピュータ６に入力し、マイクロコンピュータ６は入力された情報を記憶する。
【００１９】
マイクロコンピュータ６はさらに、入力されて記憶している記憶情報を参照して、トランクドシステム交信指示信号によりトランクドシステム交信指示がなされているときは周波数指示信号に対応する周波数に送信周波数を制御すると共に、ミキサ１４と共同して、該送信周波数と予め定めた周波数だけ周波数シフトした周波数、すなわち交信相手の送信周波数に受信周波数を制御し、トランクドシステム交信による送信が失敗したか否かを検出し、さらにトランクドシステム交信による送信が連続して予め定めた回数例えば６回失敗したときはそのことを検出し、これらの検出がなされるとＴＡ交信指示がなされているか否かを検索し、ＴＡ交信指示がなされているときは周波数指示信号により指示されている送信周波数と同一周波数に受信周波数を設定し、この設定による交信で相手無線通信機との交信が検出されたとき、トランクドシステム交信による送信が失敗したことを交信相手に通知すると共に、トーンスケルチ回路を開いて受信を行う。
【００２０】
次に、無線通信機４０の作用を図２に基づいて説明する。
【００２１】
無線通信機４０において、トランクドシステム交信指示信号によってトランクドシステム交信が指示されている場合、相手からの交信待ち受け状態にて無線通信機のＰＴＴ（Push  To  Talk）スイッチをオン状態することによって送信指示が行われ（ステップＳ１１）、無線通信機がレピータを介して周波数指示信号に基づく送信周波数でレピータを介しての送信処理を行う（ステップＳ１２）。ステップＳ１２に続いて無線通信機がトランクドシステム交信に基づく送信を行い、送信失敗か否かを判別する（ステップＳ１３）。送信時から予め定めた期間内にレピータから信号が帰ってこないときは送信失敗と判別する。ステップＳ１３において送信が失敗でないと判別されると、送信が連続して予め定めた回数、例えば６回失敗したか否かを判別する（ステップＳ１４）。
【００２２】
ステップＳ１３において送信が失敗したと判別されたとき、またはステップＳ１４において送信が連続して６回失敗であると判別されると、ＴＡ交信指示がなされているか否かをチェックする（ステップＳ１５）。ここで、ステップＳ１５においてＴＡ交信指示されているか否かは、外部コネクタ７を介して既に読み込まれ、マイクロコンピュータ６に記憶されているため、記憶しているＴＡ交信指示を参照することのみで足りる。ステップＳ１５においてＴＡ交信指示がなされていないと判別されると待ち受け状態に遷移する（ステップＳ１６）。ステップＳ１４において送信が連続して６回にわたり失敗したと判別されたときは交信中に遷移される（ステップＳ１７）。
【００２３】
ステップＳ１５においてＴＡ交信指示がなされていると判別されると、受信部３０における受信周波数が交信相手の送信周波数に設定されることにより、無線通信機４０の送受信周波数が一致させられて（ステップＳ１８）、トランクドシステム交信におけるエンコードＩＤをそのままにして交信相手の受信周波数で送信し（ステップＳ１９）、ＴＡ交信動作による送信処理がされる（ステップＳ２０）。ステップＳ２０の送信処理に続き相手との交信がなされると（ステップＳ２１）、交信相手にレピータによる交信が不調であることを交信相手に通知すると共に、トーンの一致が検出されたときトーンスケルチ回路が開らかれて受信がなされ交信中の処理がされる（ステップＳ２２）。ステップＳ２１において相手との交信ができないときはＴＡ交信動作に基づく待ち受け状態に遷移される（ステップＳ２３）。
【００２４】
上記した無線通信機４０によれば、ＴＡ交信動作指示を参照してＴＡ交信動作に自動的に代わるため、ＴＡ交信スイッチの操作を必要とせず、手数が減少する。またレピータに送信してレピータにリンクできない場合、トランクアウトするがＴＡ交信動作の指示が記憶されておれば、無線通信機の送受信周波数が一致させられて交信相手と通話することができ、さらにレピータによる交信でないことが交信相手に知らされて、レピータを介した交信でないことが相手に判ることになる。
【００２５】
上記したＴＡ交信動作指示をＰＨＳ方式による通話にも適用することができる。この場合の動作を図３に示したフローチャートに基づき説明する。
【００２６】
図３に示すように、ＰＨＳ送信失敗と無線通信機が判断すると（ステップＳ３０）、ＴＡ交信動作の指示がなされているか否かのＴＡ状態が検出される（ステップＳ３１）。ステップＳ３１においてＴＡ交信動作状態が指示されていないと判別されたときはステップＳ３１に続いて待ち受け状態となる（ステップＳ３２）。
【００２７】
ステップＳ３１においてＴＡ交信動作の指示がなされていると判別されると、ＴＡ交信動作の相手が受信できる送信コードを設定し（ステップＳ３３）、ステップＳ３０以前に使用して交信失敗した送信コードを設定し（ステップＳ３４）、ＴＡ交信動作による送信処理を行う（ステップＳ３５）。
【００２８】
ステップＳ３５による送信処理により相手と通話できたか否かがチェックされ（ステップＳ３６）、ステップＳ３６において通話中と判断されたときは、相手に対して通話中基地局が動作不能などを通知する（ステップＳ３７）。ステップＳ３６において通話中と判断されないときは待ち受け状態となる（ステップＳ３８）。
【００２９】
業務用無線通信（アナログ方式）とＰＨＳ方式（デジタル方式）との相違があるが、上記の如く，ＴＡ交信動作をＰＨＳ方式にも適応することができる。
【図面の簡単な説明】
【００３０】
【図１】本発明の実施の一形態にかかる無線通信機の構成を示すブロック図である。
【図２】図１に示す無線通信機におけるトランクドシステム交信動作時のＴＡ交信動作の作用説明に供するフローチャートである。
【図３】本発明の実施の一形態にかかるＴＡ交信動作をＰＨＳシステムに適用した場合のフローチャートである。
【図４】従来のトランクドシステム交信動作時のＴＡ交信動作の作用説明に供するフローチャートである。
【符号の説明】
【００３１】
１  マイクロフォン
２  マイク増幅器
３  変調器
４および１４  ミキサ
５  ＰＬＬ周波数シンセサイザ
６  マイクロコンピュータ
７  外部コネクタ
８  送信信号増幅器
９  送信電力増幅器
１０  アンテナスイッチ
１１  アンテナ
１３  ＲＦ増幅器
１５  バンドパスフィルタ
１６  中間周波回路
１７  ＡＦ増幅器
１８  スピーカ
２０  送信部
３０  受信部
４０  無線通信機
【図１】
2007060071.tif 000003
【図２】
2007060071.tif 000004
【図３】
2007060071.tif 000005
【図４】
2007060071.tif 000006